(57)【特許請求の範囲】
【請求項１】
アジマス角を異にし中心角で１８０°離間して配置された一対の再生ヘッドと、
少なくとも再生信号を伝送する再生系チャンネルと、上記再生ヘッドに電力を供給するパワー系チャンネルとを備えたロータリートランスとを有し、
該ロータリートランスのパワー系チャンネルは回転角で１８０°の範囲で動作するようになっており、
該パワー系チャンネルと動作時期を同じにする再生系チャンネル又は動作時期がオーバーラップする部分が大きい方の再生系チャンネルと、パワー系チャンネルとの間に、該パワー系チャンネルと動作時期を異にする又は動作時期がオーバーラップする部分が小さい方のチャンネルを配置した
ことを特徴とする回転ドラム。
【請求項２】
請求項１に記載した回転ドラムであって、
動作時期を同じにするチャンネルと動作時期を異にするチャンネルとを交互に配置した
ことを特徴とする回転ドラム。
【請求項３】
請求項１に記載した回転ドラムであって、
パワー系チャンネルの動作時期とオーバーラップする部分が大きい方のチャンネルと、オーバーラップする部分が小さい方のチャンネルとを交互に配置した
ことを特徴とする回転ドラム。
【請求項４】
請求項１に記載した回転ドラムであって、
パワー系チャンネルと動作時期を異にするチャンネル又は動作時期がオーバーラップする部分が小さい方のチャンネルをその非動作時期において短絡させて閉回路にした
ことを特徴とする回転ドラム。
【請求項５】
請求項１に記載した回転ドラムであって、
パワー系チャンネルと、これと同時期又は動作時期がオーバーラップする部分が大きい方のチャンネルとの間にシールドチャンネルを設けた
ことを特徴とする回転ドラム。
【請求項６】
請求項２に記載した回転ドラムであって、
パワー系チャンネルと、これと同時期又は動作時期がオーバーラップする部分が大きい方のチャンネルとの間にシールドチャンネルを設けた
ことを特徴とする回転ドラム。
【請求項７】
請求項３に記載した回転ドラムであって、
パワー系チャンネルと、これと同時期又は動作時期がオーバーラップする部分が大きい方のチャンネルとの間にシールドチャンネルを設けた
ことを特徴とする回転ドラム。
【請求項８】
請求項４に記載した回転ドラムであって、
パワー系チャンネルと、これと同時期又は動作時期がオーバーラップする部分が大きい方のチャンネルとの間にシールドチャンネルを設けた
ことを特徴とする回転ドラム。
【請求項９】
請求項１に記載した回転ドラムであって、
アジマス角を異にし中心角で１８０°離間して配置された一対の記録ヘッドと、該記録ヘッドに記録信号を伝送する記録系チャンネルを備えたロータリートランスとを有し、
記録系チャンネルと、これと同時期又は動作時期がオーバーラップする部分が大きい方の再生系チャンネルとの間にシールドチャンネルを設けた
ことを特徴とする回転ドラム。
【請求項１０】
アジマス角を異にし中心角で１８０°離間して配置された一対の再生ヘッドと、少なくとも再生信号を伝送する再生系チャンネルと、上記再生ヘッドに電力を供給するパワー系チャンネルとを備えたロータリートランスとを有し、該ロータリートランスのパワー系チャンネルは回転角で１８０°の範囲で動作するようになっており、該パワー系チャンネルと動作時期を同じにする再生系チャンネル又は動作時期がオーバーラップする部分が大きい方の再生系チャンネルと、パワー系チャンネルとの間に、該パワー系チャンネルと動作時期を異にする又は動作時期がオーバーラップする部分が小さい方のチャンネルを配置した回転ドラムを設け、
テープ状記録媒体のテープ速度について２種以上のモードを備えた
ことを特徴とする磁気テープ記録／再生装置。
【発明の詳細な説明】
【０００１】
【発明の属する技術分野】
本発明は、回転ドラム及びこれを用いた磁気テープ記録／再生装置に関する。具体的には、磁気テープにヘリカル状に記録された記録トラックのトラックピッチが異なる複数種の磁気テープを再生する技術に関する。
【０００２】
【従来の技術】
磁気テープに記録された記録トラックは、通常、アジマス角が異なる２つのトラックが隣接して所定のトラックピッチで形成され、また、１つの記録トラックは、回転ドラムのほぼ１８０°の範囲で形成される。
【０００３】
図１１乃至図１４は、従来の回転ドラムａの一例を示し、図１１は各ヘッドの位置関係を説明するための概略平面図である。
【０００４】
かかる記録トラックの再生は、回転ドラムａにその周方向の同位置にかつその回転軸方向（回転ドラムａの高さ方向）に１トラックピッチＴｐ相当分、離間して配置された２つの再生ヘッドｂＡ、ｂＢにより行なわれる。再生ヘッドｂＡはアジマス角Ａで、再生ヘッドｂＢはアジマス角Ｂである。
【０００５】
尚、このような２つの再生ヘッドｂＡ、ｂＢで読み取った再生信号は、ロータリートランスの再生系チャンネルによりローター側からステーター側へ伝送されるようになっている。また、再生ヘッドｂＡ、ｂＢには、電力を供給する必要があり、ロータリートランスにはパワー系チャンネルが設けられ、該パワー系チャンネルにより電力がステーター側からローター側に供給されるようになっている。
【０００６】
そして、再生系チャンネルは再生ヘッドｂＡ、ｂＢが回転ドラムａの周方向に同位置に配置され、また、再生ヘッドｂＡ、ｂＢの磁気テープｃとの接触は回転ドラムａの周方向にほぼ１８０°であるため、回転ドラムａの１回転（３６０°）のうち最初の半回転（１８０°分）で上記再生系チャンネルが動作し、次の半回転（１８０°分）では動作しないようになっている（図１４参照）。
【０００７】
また、通常、パワー系チャンネルの動作は、再生系チャンネルが動作していないときに行われ、その電力はコンデンサーなどに蓄電されて再生ヘッドｂＡ、ｂＢによる信号の読み取りに用いられるようになっている。これは、パワー系チャンネルと再生系チャンネルとが同時に動作するとロータリートランスの再生系チャンネルとパワー系チャンネルとの間でクロストークが生じてしまうことを防止するためである（図１４参照）。
【０００８】
ところが、このような回転ドラムａにあっては、２つの再生ヘッドｂＡ、ｂＢが回転ドラムａの高さ方向のズレ量が例えば１１μｍとすると（図１２参照）、トラックピッチＴｐ＝１１μｍとなるため（図１３参照）、トラックピッチＴｐが１種類の磁気テープｃしか再生することができず、トラックピッチＴｐの異なる数種の磁気テープｃの再生をすることができない。
【０００９】
そこで、再生ヘッドを回転ドラムの周方向に１８０°離間して配置したものが考えられる。
【００１０】
図１５は、このように周方向に１８０°離間して配置された２つの再生ヘッドを備える回転ドラムｄを示す概略平面図である。
【００１１】
回転ドラムｄには、２つの再生ヘッドｅＡ、ｅＢが中心角で１８０°離間して配設されている。再生ヘッドｅＡはアジマス角Ａで、再生ヘッドｅＢはアジマス角Ｂである。
【００１２】
回転ドラムｄの外周面には中心角でほぼ１８０°の範囲（厳密には１８０°以上）に磁気テープｃがやや斜めに巻き付けてあり、回転ドラムｄを回転させると共に磁気テープｃを走行させることにより、磁気テープｃ上にヘリカル状に記録された記録トラックＴ、Ｔ、・・・を２つの再生ヘッドｅＡ、ｅＢで各別に走査することになる。
【００１３】
そして、このように配置された２つの再生ヘッドｅＡ、ｅＢによれば、テープ速度を変えることにより、トラックピッチＴｐが異なった記録トラックＴの再生が可能となる。
【００１４】
即ち、記録トラックＴａと記録トラックＴｂとの間隔（トラックピッチＴｐ）は、テープ速度により決定され、トラックピッチＴｐは、テープ速度を速くすると大きく、遅くすると小さくなることになり、これにより、磁気テープｄの記録密度をテープ速度を変更することにより可変することが可能となるためである。
【００１５】
そこで、例えば、トラックピッチＴｐ１＝１１μｍで記録された磁気テープｃを再生する場合には、テープ速度を第１のモードに設定して各再生ヘッドｅＡ、ｅＢで記録トラックＴ１ａ、Ｔ１ｂ、Ｔ１ａ、Ｔ１ｂ、・・・を各別に順次走査して記録信号を読み取ることができる（図１６参照）。
【００１６】
また、トラックピッチＴｐ２＝５．５μｍで記録された磁気テープｃ′を再生する場合には、上記第１のモードにおけるテープ速度よりもほぼ１／２倍にした第２のモードにすることにより、各再生ヘッドｅＡ、ｅＢで記録トラックＴ２ａ、Ｔ２ｂ、Ｔ２ａ、Ｔ２ｂ、・・・を各別に順次走査して記録信号を読み取ることができる（図１７参照）。
【００１７】
【発明が解決しようとする課題】
ところで、このように配置した再生ヘッドｅＡ、ｅＢはそのいずれかが常に磁気テープｃ、ｃ′に接触しており、これら再生ヘッドｅＡ、ｅＢで読み取った再生信号を、常時、ローター側からステーター側に伝送する必要があり、ロータリートランスｆの２つの再生系チャンネルｇＡ、ｇＢは、そのいずれかが、常時動作するようになっている（図１８参照）。
【００１８】
また、ロータリートランスｆには再生ヘッドｅＡ、ｅＢに電力を供給するためのパワー系チャンネルｈは、少なくとも、これが動作している間に、いずれかの再生系チャンネルｇＡ又はｅＢが動作してしまっていることになり、再生系チャンネルｇＡ又はｅＢとパワー系チャンネルｈとのクロストークが生じてしまうという問題がある。
【００１９】
そこで、本発明回転ドラムは、上記した課題を解決するために、アジマス角を異にし中心角で１８０°離間して配置された一対の再生ヘッドと、少なくとも再生信号を伝送する再生系チャンネルと、上記再生ヘッドに電力を供給するパワー系チャンネルとを備えたロータリートランスとを有し、該ロータリートランスのパワー系チャンネルは回転角でほぼ１８０°の範囲で動作するようになっており、該パワー系チャンネルと動作時期を同じにする再生系チャンネル又は動作時期がオーバーラップする部分が大きい方の再生系チャンネルと、パワー系チャンネルとの間に、該パワー系チャンネルと動作時期を異にする又は動作時期がオーバーラップする部分が小さい方のチャンネルを配置したものである。
【００２０】
従って、本発明回転ドラムにあっては、動作時期を同じ又はオーバーラップする部分が大きい方のパワー系チャンネルと再生系チャンネルとをできるだけ離間させ、かつ、両チャンネルとの間に、動作時期を異にする又はオーバーラップする部分が小さい方のチャンネルを介在させたので、パワー系チャンネルが動作していても、同時期又はオーバーラップする部分が大きい動作時期の再生系チャンネルとのクロストークが生ぜず、また、テープ速度を変えることにより、トラックピッチの異なった記録トラックを再生することができ、異なったトラックピッチで記録された複数種の磁気テープの再生を可能にして、延いては、高記録密度の磁気テープの再生を可能にすることができる。
【００２１】
また、本発明磁気テープ記録／再生装置は、上記した課題を解決するために、アジマス角を異にし中心角で１８０°離間して配置された一対の再生ヘッドと、少なくとも再生信号を伝送する再生系チャンネルと、上記再生ヘッドに電力を供給するパワー系チャンネルとを備えたロータリートランスとを有し、該ロータリートランスのパワー系チャンネルは回転角でほぼ１８０°の範囲で動作するようになっており、該パワー系チャンネルと動作時期を同じにする再生系チャンネル又は動作時期がオーバーラップする部分が大きい方の再生系チャンネルと、パワー系チャンネルとの間に、該パワー系チャンネルと動作時期を異にする又は動作時期がオーバーラップする部分が小さい方のチャンネルを配置した回転ドラムを設け、テープ状記録媒体のテープ速度について２種以上のモードを備えたものである。
【００２２】
従って、本発明磁気テープ記録／再生装置にあっては、一対の再生ヘッドを中心角で１８０°離間して配置したので、従来のように再生ヘッドの位置関係によりトラックピッチが限定されることはなく、また、テープ速度について２種以上のモードを備えたので、テープ速度を異ならせることにより、トラックピッチを変えることができ、これにより、記録密度の高密度化を図ることができる。
【００２３】
【発明の実施の形態】
以下に、本発明回転ドラム及びこれを用いる磁気テープ記録／再生装置の詳細を添付図面に示した各実施の形態に従って説明する。
【００２４】
尚、各実施の形態で説明する回転ドラム及び磁気テープ記録／再生装置は、コンピューター用のデータ記録装置として知られる磁気テープストリーマドライブ装置に適用したものを示し、かかる磁気テープストリーマドライブ装置は、情報をテープ状記録媒体に記録しながらその情報を再生して、情報の記録が正しく行われたか否かをチェックすることができる機能、いわゆるＲＡＷ（Ｒｅａｄ  ａｆｔｅｒ  Ｗｒｉｔｅ）機能を備えるものであり、ＲＡＷ機能を実現するために、記録ヘッドと再生ヘッドとを有し、記録ヘッドへの信号の伝送及び再生ヘッドからの信号の伝送を行なうため、ロータリートランスには記録系チャンネルと再生系チャンネルとを有する。
【００２５】
図１乃至図４は、このようなＲＡＷ機能を実現するための回転ドラムの第１の実施の形態を示し、図１は各ヘッドの位置関係を説明するための概略平面図である。
【００２６】
回転ドラム１は、ローター側ドラム２とステーター側ドラム３とから成り（図２参照）、ローター側ドラム２には、２つの記録ヘッド４Ａ、４Ｂと２つの再生ヘッド５Ａ、５Ｂとを有し、２つの記録ヘッド４Ａと４Ｂとは互いに中心角で１８０°離間して、また、２つの再生ヘッド５Ａと５Ｂとも互いに中心角で１８０°離間して配設されている（図１参照）。記録ヘッド４Ａはアジマス角Ａで、記録ヘッド４Ｂはアジマス角Ｂであり、また、再生ヘッド５Ａはアジマス角Ａで、再生ヘッド５Ｂはアジマス角Ｂである。
【００２７】
記録ヘッド４Ａと再生ヘッド５Ａは、回転ドラム１の回転軸方向（回転ドラム１の高さ方向）に所定の間隔を空けて配置され、また、記録ヘッド４Ｂと再生ヘッド５Ｂも記録ヘッド４Ａ、再生ヘッド５Ａと同様に所定の間隔を空けて配置されている。尚、図１において、記録ヘッド４Ａと再生ヘッド５Ａ又は記録ヘッド４Ｂと再生ヘッド５Ｂとを周方向に並べて示したが、これは平面図に各ヘッドを表現するためである。また、この実施の形態においては記録ヘッド及び再生ヘッドをそれぞれ２つづつ設けたが、本発明はヘッドの数には限定されない。
【００２８】
尚、図示は省略したが、各２つのヘッド４Ａと４Ｂ又は５Ａと５Ｂとは磁気テープ６に接触しているものがスイッチングにより選択されて、後述するロータリートランスの対応する各チャンネルにおいて信号の伝送が為されるようになっている。
【００２９】
磁気テープ６は回転ドラム１に対して１８０°以上の角度で斜めに巻き付けられており、これにより、記録トラックＴ、Ｔ、・・・は所定の角度をもって斜めに形成され、また、アジマス角Ａの記録トラックＴａとアジマス角Ｂの記録トラックＴｂと隣接して形成されることになる。
【００３０】
また、磁気テープ６上の１つの記録トラックＴを形成するための記録ヘッド４Ａ及び４Ｂの回転角は１８０°以内になっており、これにより、磁気テープ６幅よりもやや小さな幅の領域に記録トラックＴが形成される。
【００３１】
そして、２つの記録ヘッド４Ａ、４Ｂが中心角で１８０°離間して配置されており、記録トラックＴａと記録トラックＴｂとの間隔（トラックピッチＴｐ）は、上述のようにテープ速度に依存されるため、トラックピッチＴｐを小さくして記録密度を高密度化するにはテープ速度を速くする。また、２つの再生ヘッド５Ａ、５Ｂも中心角で１８０°離間して配置されているため、そのテープ速度で上記記録トラックを読み取ることができ、ＲＡＷ機能を実現することができる。
【００３２】
回転ドラム１のローター側とステーター側との信号の伝送は、ロータリートランス７により為され、ロータリートランス７は、各ヘッド４Ａ、４Ｂ、５Ａ、５Ｂに対応する各別のチャンネル８ａ、８ｂ、９ａ、９ｂと、再生ヘッド５Ａ、５Ｂ用のアンプ（後述する。）に電力を伝送するためのパワー系チャンネル１０と、該パワー系チャンネル１０からのクロストークを防止するためのシールドチャンネルとしてのショートリング１１、１１とを有する。
【００３３】
各チャンネル８、９、１０、１１は、それぞれローター側要素ｒとステーター側要素ｓとから成り、これら各要素ｒ、ｓは、リング状に巻回されたコイルが環状溝内に収納されて互いに対向して配置されている。
【００３４】
そして、各チャンネルの配列は、ロータリートランス７の回転中心側から、パワー系チャンネル１０、再生系チャンネル９ａ、ショートリング１１、記録系チャンネル８ｂ、ショートリング１１、記録系チャンネル８ａ、再生系チャンネル９ｂの順となっている。
【００３５】
ロータリートランス７のパワー系チャンネル１０のステーター側要素１０ｓはパワー駆動アンプ１２、発振回路１３に接続されており、パワー信号をローター側要素１０ｒに伝送するようになっている。
【００３６】
パワー系チャンネル１０のローター側要素１０ｒに伝送されたパワー信号は、整流・平滑回路１４、レギュレーター１５を介して、再生ヘッド５Ａ、５Ｂ用のアンプ１６、１６に供給される。尚、図示は省略したが、整流・平滑回路１４とレギュレータ１５との間にはコンデンサー等が設けられており、パワー信号が回転ドラム１の半回転分（１８０°）供給され、後の半回転分（１８０°）は上記コンデンサーに蓄電されたパワーが再生ヘッドの後述のアンプ１６に供給されるようになっている。
【００３７】
再生ヘッド５Ａ、５Ｂにより再生された再生信号は、アンプ１６、１６により増幅されて再生系チャンネル９ａ、９ｂのローター側要素９ａｒ、９ｂｒに供給された後、再生系チャンネル９ａ、９ｂのステーター側要素９ａｓ、９ｂｓにそれぞれ伝送され、再生アンプ１７、１７、イコライザー１８、１８を介して出力される。
【００３８】
記録信号は、ステーター側に配設された記録アンプ１９、１９により増幅されて、記録系チャンネル８ａ、８ｂのステーター側要素８ａｓ、８ｂｓに供給された後、記録系チャンネル８ａ、８ｂのローター側要素８ａｒ、８ｂｒにそれぞれ伝送され、記録ヘッド４Ａ、４Ｂに各別に供給されて、磁気テープ６に記録される。
【００３９】
しかして、各チャンネル８ａ、８ｂ、９ａ、９ｂ、１０（ショートリング１１、１１は除く。）の動作は、以下の通りである。
【００４０】
図４は、ロータリートランス７の各チャンネル８ａ、８ｂ、９ａ、９ｂ、１０（ショートリング１１、１１は除く。）の動作（伝送している状態）を示すタイミングチャートである。
【００４１】
図４から解るように、２つの記録ヘッド４Ａ、４Ｂは回転ドラム１の周方向において中心角で１８０°離間して配置されているため、記録系チャンネル８ａ又は８ｂは、記録ヘッド４Ａ又は４Ｂが磁気テープ６に接触している間、即ち、回転ドラム１の半周分動作し、次の半周分は記録ヘッド４Ｂ又は４Ａが磁気テープ６に接触するため、他方の記録系チャンネル８ｂ又は８ａが動作することになる。
【００４２】
これにより、２つの記録系チャンネル８ａ、８ｂは互いに一方が動作しているときは他方は動作していない状態、即ち、時間的にオーバーラップすることがないので、両者間のクロストークは生じない。
【００４３】
同様に、２つの再生ヘッド５Ａ、５Ｂは回転ドラム１の周方向において中心角で１８０°離間して配置されているため、再生系チャンネル９ａ又は９ｂは、再生ヘッド５Ａ又は５Ｂが磁気テープ６に接触している間、即ち、回転ドラム１の半周分動作し、次の半周分は再生ヘッド５Ｂ又は５Ａが磁気テープ６に接触するため、他方の再生系チャンネル９ｂ又は９ａが動作することになる。
【００４４】
これにより、２つの再生系チャンネル９ａ、９ｂは互いに一方が動作しているときは他方は動作していない状態、即ち、時間的にオーバーラップすることがないので、両者間のクロストークは生じない。
【００４５】
そして、パワー系チャンネル１０は、記録系チャンネル８ｂ及び再生系チャンネル９ｂが動作しているときに動作するようになっているが、パワー系チャンネル１０の動作時に電気的漏れ、磁気的漏れの最も影響を受けやすい同時期に動作する再生系チャンネル９ｂがパワー系チャンネル１０からもっとも離れた位置に配置され、しかも、そのとき動作していない他のチャンネル（記録系チャンネル８ａ及び再生系チャンネル９ａ）を両者間に存在させたため、両者間でクロストークが生ずることはない。
【００４６】
このように、この上記回転ドラム２１にあっても、記録ヘッド４Ａ、４Ｂ及び再生ヘッド５Ａ、５Ｂを互いに１８０°離間して配置したので、上述のように、テープ速度を変更することにより容易にトラックピッチＴｐを変更することができ、また、各種の異なったトラックピッチＴｐの記録トラックを再生することができ、しかも、ロータリートランス７の各チャンネル間においてクロストークが生ずることはない。
【００４７】
また、この実施の形態にあっては、パワー系チャンネル１０を回転ドラム１の最も内側に配置したので、回転ドラム１の外周部に配置された各ヘッド４ａ、４ｂ、５ａ、５ｂとのクロストークを防止することができる。
【００４８】
尚、再生系チャンネル９ａとこれに隣接するショートリング１１とを、また、記録系チャンネル８ｂとこれと隣接するショートリング１１とをそれぞれ入れ替えても、クロストークの問題は生じない。
【００４９】
さらに、再生系チャンネル９ａと記録系チャンネル８ａとを入れ替えても、各チャンネル間のクロストークの問題は生じない。
【００５０】
図５は、ロータリートランス７の変形例７Ａを示す概略回路図であり、このロータリートランス７Ａの記録系チャンネル８ｂ及び再生系チャンネル９ａのそれぞれのステーター側要素８ｂｒ、９ａｒにスイッチ２０、２０をそれぞれ配置して短絡させたものである。
【００５１】
そして、パワー系チャンネル１０が動作しているときにこれらスイッチ２０、２０を接続して各ステーター側要素８ａｒ、９ａｒを短絡させることにより、これら再生系チャンネル９ａ及び記録系チャンネル８ａをシールドチャンネルとして機能させることができ、さらに、パワー系チャンネル１０と同時期に動作する記録系チャンネル８ｂ及び再生系チャンネル９ｂとのクロストークを回避することができる。
【００５２】
図６乃至図１０は本発明の第２の実施の形態を示すものであり、かかる第２の実施の形態が、上記第１の実施の形態と比較して相異する点は、再生ヘッドと記録ヘッドとを回転ドラムの周方向にずれた位置に配置した点であるので、図面には要部のみを示し、また、その説明は上記相違点についてのみ行い、他の部分については図面の各部に前記第１の実施の形態に係る回転ドラムにおける同様の部分に付した符号と同じ符号を付すことによりその説明を省略する。
【００５３】
回転ドラム２１はローター側ドラム２２とステーター側ドラム２３とから成り（図７参照）、ローター側ドラム２２には、２つの記録ヘッド２４Ａ、２４Ｂと２つの再生ヘッド２５Ａ、２５Ｂとを有し、２つの記録ヘッド２４Ａと２４Ｂとは互いに中心角で１８０°離間して、また、２つの再生ヘッド２５Ａと２５Ｂとも互いに中心角で１８０°離間して配設されている（図６参照）。
【００５４】
記録ヘッド２４Ａと再生ヘッド２５Ａは、回転ドラム２１の周方向にほぼ４５°離間して配置され、また、記録ヘッド２４Ｂと再生ヘッド２５Ｂも記録ヘッド２４Ａ、再生ヘッド２５Ａと同様に回転ドラム２１の周方向にほぼ４５°離間して配置されている。
【００５５】
回転ドラム２１のローター側とステーター側との信号の伝送は、ロータリートランス２６により為され、ロータリートランス２６は、各ヘッド２４Ａ、２４Ｂ、２５Ａ、２５Ｂに対応する各別のチャンネル２７ａ、２７ｂ、２８ａ、２８ｂと、再生ヘッド２５Ａ、２５Ｂ用のアンプに電力を伝送するためのパワー系チャンネル１０と、該パワー系チャンネル１０からのクロストークを防止するためのシールドチャンネルとしてのショートリング１１、１１とを有する。
【００５６】
そして、各チャンネルの配列は、ロータリートランス２６の回転中心側から、パワー系チャンネル１０、ショートリング１１、記録系チャンネル２７ａ、ショートリング１１、記録系チャンネル２７ｂ、再生系チャンネル２８ａ、再生系チャンネル２８ｂの順となっている。
【００５７】
しかして、各チャンネル２７ａ、２７ｂ、２８ａ、２８ｂ、１０（ショートリング１１、１１は除く。）の動作は、以下の通りである。
【００５８】
図９は、ロータリートランス２６の各チャンネル２７ａ、２７ｂ、２８ａ、２８ｂ、１０（ショートリング１１、１１は除く。）の動作（伝送している状態）を示すタイミングチャートである。
【００５９】
図９から解るように、２つの記録ヘッド２４Ａ、２４Ｂは回転ドラム１の周方向において中心角で１８０°離間して配置されているため、上記第１の実施の形態の場合と同様に、記録系チャンネル２７ａと２７ｂとは、時間的にオーバーラップすることがないので、両者間のクロストークは生じない。
【００６０】
同様に、２つの再生ヘッド２５Ａ、２５Ｂは回転ドラム１の周方向において中心角で１８０°離間して配置されているため、再生系チャンネル２８ａと２８ｂとは、時間的にオーバーラップすることがないので、両者間のクロストークは生じない。
【００６１】
また、パワー系チャンネル１０の動作時期と、オーバーラップする部分が大きな再生系チャンネル２８ｂは、パワー系チャンネル１０からもっとも離れた位置に配置され、しかも、その時動作しない又は動作する時期のオーバーラップする部分が小さな他のチャンネル（記録系チャンネル２７ａ及び再生系チャンネル２８ａ）を両者間に存在させたため、両者間でクロストークが生ずることはない。
【００６２】
尚、パワー系チャンネル１０と同時期に動作する記録系チャンネル２７ｂは、時間的にクロストークの可能性があるが、両者間にはこれらと動作時期を異にする記録系チャンネル２７ａ及びショートリング１１が介在されており、これらがシールドチャンネルとして機能するため、両者間のクロストークは生じない。
【００６３】
また、記録ヘッド２４Ａ又は２４Ｂと再生ヘッド２５Ａ又は２５Ｂとは互いに中心角で４５°ずれて配置されているため、記録系チャンネル２７ａ又は２７ｂと再生系チャンネル２８ａ又は２８ｂとが時間的にオーバーラップして動作することになるが、記録系チャンネル２７ａと再生系チャンネル２８ａとの間にはこれらと動作時期を異にする記録系チャンネル２７ｂ及びショートリング１１が介在されており、これらがシールドチャンネルとして機能するため、両者間のクロストークは生ぜず、記録系チャンネル２７ｂと再生系チャンネル２８ｂとの間にはこれらと動作時期を異にする再生系チャンネル２８ａが介在されており、これがシールドチャンネルとして機能するため、両者間のクロストークは生じないようになっている。
【００６４】
このように、この上記回転ドラム２１にあっても、記録ヘッド２４Ａ、２４Ｂ及び再生ヘッド２５Ａ、２５Ｂを互いに１８０°離間して配置したので、上述のように、テープ速度を変更することにより容易にトラックピッチＴｐを変更することができ、また、各種の異なったトラックピッチＴｐの記録トラックを再生することができ、しかも、ロータリートランス２６の各チャンネル間においてクロストークが生ずることはない。
【００６５】
図１０は、上記第２の実施の形態における各チャンネルの動作時期に関する変形例を示すタイミングチャート図である。
【００６６】
この変形例が上記第２の実施の形態と相異する点は、パワー系チャンネルと記録系チャンネルとの動作の位相をずらして、パワー系チャンネルと再生系チャンネルとの動作の位相を合せた点である。
【００６７】
この変形例によれば、パワー系チャンネルの動作切換と２つの再生系チャンネルの動作切換を同時期にすることになり、パワー系チャンネルの動作時期に動作する再生系チャンネルを１つにすることができ、よって、かかる再生系チャンネルとパワー系チャンネルとの間だけに動作時期を異にする他のチャンネルを配置するだけで、クロストークの防止を確実に行なうことができ、これら動作時期を同じにするパワー系チャンネルと再生系チャンネルとを最も離間した位置に配置する必要もなくなり、設計の自由度を高めることができる。
【００６８】
また、上記各実施の形態において、パワー系チャンネルを回転ドラムの内周側に配置したものについて説明したが、本発明はこれに限らず、パワー系チャンネルが回転ドラムの外周側に配置されていても良く。
【００６９】
さらに、本発明は、上記実施の形態及び変形例で示したものに限らず、各チャンネルに関し、表１示すような配置が考えられる。
【００７０】
【表１】
0004032586.tif 000002
【００７１】
尚、表１において、縦欄（Ａ〜Ｇ）はロータリートランスの溝であり、溝Ａが内周側、溝Ｇが外周側を示す。また、横欄（イ〜ホ）は各チャンネルの配置のパターン例を示す。
【００７２】
各パターンのＢ溝、Ｃ溝及びＥ溝、Ｆ溝に、「再生系又は記録系チャンネルとショートリングとの組合せ」と記述しているのは、再生系又は記録系チャンネルとショートリングとが径方向に並んで配置されていれば、そのいずれが内周側でも外周側でも良いことを示す。
【００７３】
ここで、パワー系チャンネルの電気的漏れ、磁気的漏れの影響がもっとも大きい再生系チャンネルをパワー系チャンネルから離すことが有効であるが、パワー系チャンネルの伝送パワーが小さい場合には、パターン（ニ）、（ホ）のように、パワー系チャンネルを径方向に並んだ溝の真ん中に配置しても良い。
【００７４】
また、パワー系チャンネルの動作と再生系チャンネルの動作との位相が一致せず、オーバーラップする部分が大きい場合には、両チャンネル間でクロストークする可能性があるため、パターン（イ）、（ロ）、（ハ）のように両チャンネルをできるだけ離すことが有効であり、内周側と外周側とにそれぞれは位置することが好ましい。
【００７５】
尚、上記実施の形態においては、再生ヘッドと記録ヘッドとを備えた回転ドラムについて説明したが、本発明はこれに限らず、再生ヘッドのみを備えた回転ヘッドにも適用することができる。
【００７６】
また、本発明はコンピューター用のデータ記録装置として知られる磁気テープストリーマドライブ装置に限られず、磁気テープヘ情報を記録しながら記録された情報のチェックを行なう機能（ＲＡＷ機能）を備えたものに広く適用することができる。
【００７７】
さらに、前記した各実施の形態及び各変形例において示した各部の具体的な形状乃至構造は、本発明を実施するに当たっての具体化のほんの一例を示したものに過ぎず、これらによって本発明の技術的範囲が限定的に解釈されることがあってはならないものである。
【００７８】
【発明の効果】
以上に記載したとおり、本発明回転ドラムは、アジマス角を異にし中心角で１８０°離間して配置された一対の再生ヘッドと、  少なくとも再生信号を伝送する再生系チャンネルと、上記再生ヘッドに電力を供給するパワー系チャンネルとを備えたロータリートランスとを有し、該ロータリートランスのパワー系チャンネルは回転角で１８０°の範囲で動作するようになっており、該パワー系チャンネルと動作時期を同じにする再生系チャンネル又は動作時期がオーバーラップする部分が大きい方の再生系チャンネルと、パワー系チャンネルとの間に、該パワー系チャンネルと動作時期を異にする又は動作時期がオーバーラップする部分が小さい方のチャンネルを配置したことを特徴とする。
【００７９】
従って、本発明回転ドラムにあっては、再生ヘッドを１８０°離間させて配置したので、トラックピッチの異なる磁気テープの読み取りを可能にするとともに、パワー系チャンネルと動作時期を同じにする再生系チャンネル又は動作時期がオーバーラップする部分が大きい方の再生系チャンネルと、パワー系チャンネルとの間に、該パワー系チャンネルと動作時期を異にする又は動作時期がオーバーラップする部分が小さい方のチャンネルを配置したので、ロータリートランスにおけるクロストークが生じることを防止することができる。
【００８０】
請求項２記載した発明は、動作時期を同じにするチャンネルと動作時期を異にするチャンネルとを交互に配置したので、記録ヘッドを持つ回転ドラムに適用することにより、いわゆるＲＡＷ機を実現することができる。
【００８１】
請求項３に記載した発明は、パワー系チャンネルの動作時期とオーバーラップする部分が大きい方のチャンネルと、オーバーラップする部分が小さい方のチャンネルとを交互に配置したので、記録ヘッドを持つ回転ドラムに適用することにより、いわゆるＲＡＷ機を実現することができる。
【００８２】
請求項４に記載した発明は、パワー系チャンネルと動作時期を異にするチャンネル又は動作時期がオーバーラップする部分が小さい方のチャンネルをその非動作時期において短絡させて閉回路にしたので、これらチャンネルをシールドチャンネルとして有効に機能させることができ、ロータリートランスのクロストークの防止をより確実なものにすることができる。
【００８３】
請求項５乃至請求項８に記載した発明は、パワー系チャンネルと、これと同時期又は動作時期がオーバーラップする部分が大きい方のチャンネルとの間にシールドチャンネルを設けたので、ロータリートランスにおけるクロストークの防止をより確実なものにすることができる。
【００８４】
請求項９に記載した発明は、アジマス角を異にし中心角で１８０°離間して配置された一対の記録ヘッドと、該記録ヘッドに記録信号を伝送する記録系チャンネルを備えたロータリートランスとを有し、記録系チャンネルと、これと同時期又は動作時期がオーバーラップする部分が大きい方の再生系チャンネルとの間にシールドチャンネルを設けたので、いわゆるＲＡＷ機を実現することができる。
【００８５】
また、本発明磁気テープ記録／再生装置は、アジマス角を異にし中心角で１８０°離間して配置された一対の再生ヘッドと、少なくとも再生信号を伝送する再生系チャンネルと、上記再生ヘッドに電力を供給するパワー系チャンネルとを備えたロータリートランスとを有し、該ロータリートランスのパワー系チャンネルは回転角で１８０°の範囲で動作するようになっており、該パワー系チャンネルと動作時期を同じにする再生系チャンネル又は動作時期がオーバーラップする部分が大きい方の再生系チャンネルと、パワー系チャンネルとの間に、該パワー系チャンネルと動作時期を異にする又は動作時期がオーバーラップする部分が小さい方のチャンネルを配置した回転ドラムを設け、テープ状記録媒体のテープ速度について２種以上のモードを備えたことを特徴とする。
【００８６】
従って、本発明磁気テープ記録／再生装置にあっては、一対の再生ヘッドを中心角で１８０°離間して配置し、テープ速度について２種以上のモードを備えたので、テープ速度を異ならせることにより、トラックピッチの異なった各種磁気テープの読み取りを可能にするとともに、パワー系チャンネルと動作時期を同じにする再生系チャンネル又は動作時期がオーバーラップする部分が大きい方の再生系チャンネルと、パワー系チャンネルとの間に、該パワー系チャンネルと動作時期を異にする又は動作時期がオーバーラップする部分が小さい方のチャンネルを配置したので、ロータリートランスにおけるクロストークが生じることを防止することができる。
【図面の簡単な説明】
【図１】図２乃至図４とともに本発明の第１の実施の形態を示すもので、本図はローター側ドラムを概略的に示す平面図である。
【図２】ロータリートランスの概略断面図である。
【図３】概略回路図である。
【図４】各チャンネルの動作状態を示すタイミングチャート図である。
【図５】ロータリートランスの変形例を示す概略回路図である。
【図６】図７乃至図１０とともに本発明の第２の実施の形態を示すもので、本図はローター側ドラムを概略的に示す平面図である。
【図７】ロータリートランスの概略断面図である。
【図８】概略回路図である。
【図９】各チャンネルの動作状態を示すタイミングチャート図である。
【図１０】動作時期の変形例を示すタイミングチャート図である。
【図１１】図１２乃至図１４とともに従来の回転ドラムの一例を示すもので、本図はローター側ドラムを概略的に示す平面図である。
【図１２】回転ドラムの概略側面図である。
【図１３】磁気テープ上に記録されたトラックを模式的に示した記録パターン図である。
【図１４】各チャンネルの動作状態を示すタイミングチャート図である。
【図１５】図１６乃至図１８とともに別の従来の回転ドラムの一例を示すもので、本図はローター側ドラムを概略的に示す平面図である。
【図１６】モード１で磁気テープ上に記録されたトラックを模式的に示した記録パターン図である。
【図１７】モード２で磁気テープ上に記録されたトラックを模式的に示した記録パターン図である。
【図１８】各チャンネルの動作状態を示すタイミングチャート図である。
【符号の説明】
、１…回転ドラム、４Ａ…記録ヘッド（アジマス角Ａ）、４Ｂ…記録ヘッド（アジマス角Ｂ）、５Ａ…再生ヘッド（アジマス角Ａ）、５Ｂ…再生ヘッド（アジマス角Ｂ）、７…ロータリートランス、８ａ…記録系チャンネル（アジマス角Ａ）、８ｂ…記録系チャンネル（アジマス角Ｂ）、９ａ…再生系チャンネル（アジマス角Ａ）、９ｂ…再生系チャンネル（アジマス角Ｂ）、１０…パワー系チャンネル、１１…ショートリング（シールドチャンネル）、２１…回転ドラム、２４Ａ…記録ヘッド（アジマス角Ａ）、２４Ｂ…記録ヘッド（アジマス角Ｂ）、２５Ａ…再生ヘッド（アジマス角Ａ）、２５Ｂ…再生ヘッド（アジマス角Ｂ）、２６…ロータリートランス、２７ａ…記録系チャンネル（アジマス角Ａ）、２７ｂ…記録系チャンネル（アジマス角Ｂ）、２８…再生系チャンネル（アジマス角Ａ）、２８…再生系チャンネル（アジマス角Ｂ）
【図１】
0004032586.tif 000003
【図２】
0004032586.tif 000004
【図３】
0004032586.tif 000005
【図４】
0004032586.tif 000006
【図５】
0004032586.tif 000007
【図６】
0004032586.tif 000008
【図７】
0004032586.tif 000009
【図８】
0004032586.tif 000010
【図９】
0004032586.tif 000011
【図１０】
0004032586.tif 000012
【図１１】
0004032586.tif 000013
【図１２】
0004032586.tif 000014
【図１３】
0004032586.tif 000015
【図１４】
0004032586.tif 000016
【図１５】
0004032586.tif 000017
【図１６】
0004032586.tif 000018
【図１７】
0004032586.tif 000019
【図１８】
0004032586.tif 000020